(57)【特許請求の範囲】
【請求項１】
外観にスライド用ガイドが現れないようにした折り畳み式洋傘に用いられる複数のパイプからなる多段式の伸縮自在なシャフトであって、複数のパイプを入れ子式にスライド自在に嵌挿し、複数のパイプの中、シャフトの最も内側のパイプを除いた各パイプの内径部に直線方向に延びるスリットを有するガイド部材を固着し、ガイド部材のスリットの互いに平行な両縁部のガイド面と該ガイド部材が固着されたパイプの内周面とで該パイプの内径部にその長手方向に沿ってほぼ全長にわたって凹溝を形成し、複数のパイプの中、シャフトの最も外側のパイプを除いた各パイプの後端部の外径部に凸条を設け、各パイプの凸条を各パイプの外側のパイプの内径部の凹溝に軸方向にスライド自在に嵌合させ、外側と内側のパイプの相対回転を阻止するようにしたことを特徴とする折り畳み式洋傘用伸縮シャフト。
【請求項２】
前記ガイド部材を筒体により構成し、筒体の管壁にその軸方向に沿って延びる細長状のスリットを形成し、該スリットの互いに平行な縁部をガイド面としたことを特徴とする請求項１に記載の折り畳み式洋傘用伸縮シャフト。
【請求項３】
前記スリットの長手方向の一方側に前記凸条を係止するためのストッパー面を形成し、他方側を開放したことを特徴とする請求項２に記載の折り畳み式洋傘用伸縮シャフト。
【発明の詳細な説明】
【技術分野】
【０００１】
本発明は、外観にスライド用ガイドが現れないようにした折り畳み式洋傘に用いられる伸縮自在な多段式のシャフトに関する。
【背景技術】
【０００２】
従来、外観にスライド用ガイドが現れないようにした折り畳み式洋傘に用いられる伸縮自在な多段式のシャフトとして、外側のパイプの各々の内径部に稜線を設け、内側のパイプの外周に周囲段差と溝を設けた構成のものが知られている（例えば特許文献１参照）。  また、複数のパイプを入れ子式にスライド自在に嵌挿し、シャフトの最も内側のパイプを除いた各パイプの内径部にその長手方向に沿ってほぼ全長にわたって凹溝を形成し、内側のパイプの後端部の外径部に凸条を設け、各パイプの凸条を外側のパイプの内径部の凹部に軸方向にスライド自在に嵌挿させ、外側と内側のパイプの相対回転を阻止するように構成したものが知られている（例えば特許文献２参照）。
【先行技術文献】
【特許文献】
【０００３】
【特許文献１】特開２００１−３５３０１２号公報
【特許文献２】特許４５１６７６３号公報
【発明の概要】
【発明が解決しようとする課題】
【０００４】
外側のパイプの内径部側に突起状の稜線を設け、内側のパイプの外周に周囲段差と溝を設ける構造は、製造に高精度が要求され、大量生産に適さないという問題点がある。
また、パイプの内側に凹溝を形成する構成は製造工程において高価な製造装置が必要となるため製造コストが高価になるとともに、大量生産に適さないという問題点がある。
本発明は、上記問題点を解決することを目的とする。
【課題を解決するための手段】
【０００５】
上記目的を達成するため、本発明は、外観にスライド用ガイドが現れないようにした折り畳み式洋傘に用いられる複数のパイプからなる多段式の伸縮自在なシャフトであって、複数のパイプを入れ子式にスライド自在に嵌挿し、複数のパイプの中、シャフトの最も内側のパイプを除いた各パイプの内径部に直線方向に延びるスリットを有するガイド部材を固着し、ガイド部材のスリットの互いに平行な両縁部のガイド面と該ガイド部材が固着されたパイプの内周面とで該パイプの内径部にその長手方向に沿ってほぼ全長にわたって凹溝を形成し、複数のパイプの中、シャフトの最も外側のパイプを除いた各パイプの後端部の外径部に凸条を設け、各パイプの凸条を各パイプの外側のパイプの内径部の凹溝に軸方向にスライド自在に嵌合させ、外側と内側のパイプの相対回転を阻止するようにしたことを特徴とする。
また本発明は、前記ガイド部材を筒体により構成し、筒体の管壁にその軸方向に沿って延びる細長状のスリットを形成し、該スリットの互いに平行な縁部をガイド面としたことを特徴とする。
また本発明は、前記スリットの長手方向の一方側に前記凸条を係止するためのストッパー面を形成し、他方側を開放したことを特徴とするものである。
【発明の効果】
【０００６】
本発明は、パイプの内側に配置したガイド部材のスリットによりパイプの内側に簡単に凹溝を形成することができるため、大量生産に適し、製造コストの低減を実現することができる。
【図面の簡単な説明】
【０００７】
【図１】本発明に使用されるガイド部材の外観図である。
【図２】ガイド部材のＡ−Ａ線横断面図である。
【図３】本発明に係わるシャフトに使用されるパイプを示し、（Ａ）は正面図、（Ｂ）は縦断面図、（Ｃ）はＢ−Ｂ線断面図である。
【図４】シャフトの説明的正面図である。
【図５】シャフトのＣ−Ｃ線断面である。
【発明を実施するための最良の形態】
【０００８】
以下に本発明の実施の形態を添付した図面を参照して詳細に説明する。
図４は折り畳み式洋傘用の伸縮自在シャフト２の正面図を示し、シャフト２は複数の互いに径が異なり且つほぼ同長のパイプを入れ子式にスライド自在に嵌合した多段式に構成されている。各パイプはステンレスにより構成され、一番太い第１パイプ４の内径部に、第２のパイプ６がスライド自在に嵌合し、この第２のパイプ６の内径部に最も細いパイプ第３のパイプ８がスライド自在に嵌合している。
【０００９】
シャフト２には、折り畳み式洋傘を構成するための骨格構成要素（図示省略）やその他の部品がロクロ（図示省略）を介して取り付けられる。また、第１のパイプ４の下端には、洋傘の柄（図示省略）が取り付けられている。パイプ４，６の内径部には図４に示すように、それぞれステンレス製のガイド部材１０，１２が密嵌配置されている。ガイド部材１０の外径と対応する外側のパイプ４の内径はほぼ同一に設定され、ガイド部材１２の外径と対応する外側のパイプ６の内径はほぼ同一に設定されている。
【００１０】
ガイド部材１０，１２の外周面が、対応するパイプ４，６の内周面に密着した状態で、接着、ねじ止めその他適宜な固定手段により、対応するパイプ４，６に固着されている。ガイド部材１０，１２は、図１に示すように、筒状の本体Ｍにより構成され、該本体Ｍの管壁に軸方向に沿って１つ又は複数のスリットＳが形成されている。ガイド部材１０，１２は、その外周面が、外側のパイプ４，６の内周面と同一の曲率に設定されている。
【００１１】
ガイド部材１０，１２の本体Ｍの管壁の厚さとパイプ４，６の管壁の厚さはほぼ同一に設定されている。パイプ６の外径は、ガイド部材１０の内径より若干小径に設定され、パイプ６がガイド部材１０に沿ってスムーズにスライドできるように、パイプ６の外径と、ガイド部材１０の内径との間に若干の隙間が形成されるように構成されている。パイプ８の外径は、ガイド部材１２の内径より若干小径に設定され、パイプ８がガイド部材１２に沿ってスムーズにスライドできるように、パイプ８の外径と、ガイド部材１２の内径との間に若干の隙間が形成されるように構成されている。
【００１２】
本実施形態では、スリットＳは、互いに円周方向に１８０度の間隔を存して本体Ｍに２本形成されている。スリットＳは、その一端が本体Ｍの一端との間に所定の間隔を有し、スリットＳは本体Ｍのほぼ全長にわたって形成され、一端は閉塞端Ｓ１を形成し他端は開放されている。スリットＳの形状は、全体が細長状の矩形に形成され、該スリットＳの縁部は本体Ｍの管壁に、軸方向に沿って直線方向に延びる互いに平行なガイド面Ｇ１，Ｇ２を形成している。
【００１３】
前記ガイド面Ｇ１，Ｇ２は、互いに本体Ｍの円周方向に所定の間隔を有し、且つガイド面Ｇ１，Ｇ２は径方向に所定の厚さを有している。前記ガイド面Ｇ１，Ｇ２とパイプ４，６の内周面は、パイプ４，６の内径部に、軸方向に沿って延びる互いに平行な２本の凹溝１４，１６を形成している。第１のパイプ４の外周面は全長に亘って丸く即ち外周の断面が円形に形成されている。第２及び第３のパイプ６，８の外周面は外側のパイプによって隠れる各後端部を除いて、外部から見える部分Ｋが丸く形成され、各パイプ８，６は、対応する外側のパイプ６，４にガイド部材１２，１０を介してスライド自在に嵌挿されている。
【００１４】
パイプ８，６の外周面の各後端部側即ちパイプの根本側には、各パイプ８，６の長手方向に対して平行な方向に延びる長定長さと厚みを有する周方向に互いに略１８０度の間隔を有して２本の凸状８，２０が突設されている。
各凸条１８，２０の断面形状は、凹溝１６，１４の断面形状と略同一の矩形に構成されている。また、凹溝１６，１４の断面形の寸法と、対応する凸条１８，２０の断面形の寸法とは略同一に設定され、各凸状１８，２０が対応する外側の凹溝１６，２０にスライド自在に嵌合することができるように構成されている。
【００１５】
ガイド部材１０，１２のスリットＳの閉塞端Ｓ１は、係止部を構成し、シャフト２を伸張した際、外側のパイプ４，６のスリットＳの係止部に内側のパイプ６，８の凸条２０，１８が衝突し、内側のパイプ６，８が外側のパイプから外れないように構成されている。
【００１６】
上記した構成において、第１のパイプ４と第２のパイプ６は、第２のパイプ６の凸条２０が第１のパイプ４の内径部の凹溝１４にスライド自在に嵌合しているため、互いに長手方向のみスライドが可能であり、第１のパイプ４に対して第２のパイプ６が相対回転する方向の移動が凸条２０と凹溝１４の嵌合構造によって阻止される。第２のパイプ６と第３のパイプ８間の関係も上記第１のパイプ４と第２のパイプ６との関係と同様であり、互いの長手方向のスライド移動が可能であり、相対回転方向の移動が外側のパイプの凹溝１６とこれに嵌合する内側のパイプ８の凸条１８によって阻止される。
【００１７】
シャフト２を伸張し、外側のパイプ４，６のガイド部材１０，１２のスリットＳの係止部に内側のパイプ６，８の凸条２０，１８が係止されたとき、丁度、内側のパイプ６，８のばねにより付勢された突起体（図示省略）が、外側のパイプ４，６のインデックス孔（図示省略）に嵌合し、内側と外側のパイプの相対的な長手方向の移動と周回転とが突起体により解除可能にロックされ、内側のパイプ６，８か対応する外側のパイプ４，６から簡単に外れたり、回転することがない。  
【００１８】
尚、本実施形態では、ガイド部材として筒体を用いたが、凸条１８，２０を案内するガイド面Ｇ１，Ｇ２を形成する部材は、筒体に特に限定されるものではなく、外側のパイプの内周面と同一の曲率の外周面を有する断面孤状の板材その他を用いることができる。
【符号の説明】
【００１９】
２      シャフト
４      パイプ
６      パイプ
８      パイプ
１０    ガイド部材
１２    ガイド部材
１４    凹溝
１６    凹溝
１８    凸条
２０    凸条
Ｇ１    ガイド面
Ｇ２    ガイド面
【図１】
0005534475.tif 000002
【図２】
0005534475.tif 000003
【図３】
0005534475.tif 000004
【図４】
0005534475.tif 000005
【図５】
0005534475.tif 000006